【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
ユーザ機器、ＵＥ、によるワイヤレス通信のための方法において、
前記ＵＥの１つ以上の特性を決定することと、
前記ＵＥの決定した１つ以上の特性に基づいて、ロケーション情報報告の１つ以上のパラメータを調節することとを含み、
前記１つ以上の特性は、少なくとも電力状態と前記ＵＥの最後に知られたロケーションとを含み、
前記ロケーション情報報告の１つ以上のパラメータを調節することは、ロケーション情報を決定するために、前記ＵＥの複数のロケーション決定デバイスのうちの１つ以上を選択することを含むことを特徴とする方法。
【請求項２】
前記ＵＥの１つ以上の特性を決定することは、バッテリーレベルまたは充電状態のうちの少なくとも１つを決定することを含む請求項１記載の方法。
【請求項３】
前記バッテリーレベルまたは充電状態のうちの少なくとも１つを決定することは、前記バッテリーレベルがしきい値を超えていることを決定すること、または、バッテリーが充電されていることを決定することを含み、
前記１つ以上のパラメータを調節することは、衛星ポジショニングシステム、ＳＰＳ、受信機をイネーブルすることを含む請求項２記載の方法。
【請求項４】
前記ＵＥの１つ以上の特性を決定することは、ロケーション情報に対する前記ＵＥによる要求の頻度を決定することを含み、または、
前記ＵＥの１つ以上の特性を決定することは、前記ＵＥが現在、以前に知られていたロケーションにあることを決定することを含む請求項１記載の方法。
【請求項５】
前記ＵＥの１つ以上の特性を決定することは、データ使用しきい値を決定することを含む請求項１記載の方法。
【請求項６】
前記１つ以上のパラメータを調節することは、前記決定したデータ使用しきい値に基づいて、ワイヤレス広域ネットワーク、ＷＷＡＮ、データサービスを使用して、前記ＵＥがロケーション情報を要求できる回数を調節することを含む請求項５記載の方法。
【請求項７】
前記１つ以上のパラメータを調節することは、ロケーション精度の許容可能なレベルを調節することを含み、または、
前記１つ以上のパラメータを調節することは、前記ＵＥが１つ以上のロケーション決定デバイスからのロケーション情報を要求できる頻度を調節することを含み、または、
前記１つ以上のパラメータを調節することは、サービス期間の間に、前記ＵＥができるロケーション情報に対する要求の最大数を調節することを含む請求項１記載の方法。
【請求項８】
ワイヤレス通信のための装置において、
前記装置の１つ以上の特性を決定する手段と、
前記装置の決定した１つ以上の特性に基づいて、ロケーション情報報告の１つ以上のパラメータを調節する手段とを具備し、
前記１つ以上の特性は、少なくとも電力状態と前記装置の最後に知られたロケーションとを含み、
前記ロケーション情報報告の１つ以上のパラメータを調節する手段は、ロケーション情報を決定するために、前記装置の複数のロケーション決定デバイスのうちの１つ以上を選択する手段を備える装置。
【請求項９】
前記装置の１つ以上の特性を決定する手段は、バッテリーレベルまたは充電状態のうちの少なくとも１つを決定する手段を備える請求項８記載の装置。
【請求項１０】
前記バッテリーレベルまたは充電状態のうちの少なくとも１つを決定する手段は、前記バッテリーレベルがしきい値を超えていることを決定する手段、または、バッテリーが充電されていることを決定する手段を備え、
前記１つ以上のパラメータを調節する手段は、衛星ポジショニングシステム、ＳＰＳ、受信機をイネーブルする手段を備える請求項９記載の装置。
【請求項１１】
前記装置の１つ以上の特性を決定する手段は、ロケーション情報に対する前記装置による要求の頻度を決定する手段を備え、または、
前記装置の１つ以上の特性を決定する手段は、前記装置が現在、以前に知られていたロケーションにあることを決定する手段を備える請求項８記載の装置。
【請求項１２】
前記装置の１つ以上の特性を決定する手段は、データ使用しきい値を決定する手段を備える請求項８記載の装置。
【請求項１３】
前記１つ以上のパラメータを調節する手段は、前記決定したデータ使用しきい値に基づいて、ワイヤレス広域ネットワーク、ＷＷＡＮ、データサービスを使用して、前記装置がロケーション情報を要求できる回数を調節する手段を備える請求項１２記載の装置。
【請求項１４】
前記装置の１つ以上の特性を決定する手段と前記ロケーション情報報告の１つ以上のパラメータを調節する手段は、少なくとも１つのプロセッサを備え、
前記少なくとも１つのプロセッサに結合されているメモリをさらに備える請求項８記載の装置。
【請求項１５】
ユーザ機器、ＵＥによるワイヤレス通信のためのコンピュータ読取可能媒体において、
コードを具備し、
前記コードは、少なくとも１つのプロセッサにより実行されるときに、前記ＵＥに、請求項１から７のうちのいずれか１項記載の方法を実行させるコンピュータ読取可能媒体。
【手続補正２】
【補正対象書類名】明細書
【補正対象項目名】００７９
【補正方法】変更
【補正の内容】
【００７９】
［００８７］
本開示の先の説明は、任意の当業者が本開示を製造または使用することを可能にするように提供されている。本開示に対するさまざまな改良は、当業者に容易に明らかとなり、ここで規定される包括的な原理は、本開示の精神または範囲から逸脱することなく他のバリエーションに適用してもよい。したがって、本開示は、ここで説明した例および設計に限定されるように意図してはおらず、ここで開示した原理および新規の特徴と一致する最も広い範囲が与えられるべきである。
以下に、本願出願の当初の特許請求の範囲に記載された発明を付記する。
［１］  ユーザ機器（ＵＥ）によるワイヤレス通信のための方法において、
前記ＵＥの１つ以上の特性を決定することと、
前記ＵＥの決定した１つ以上の特性に基づいて、ロケーション情報報告の１つ以上のパラメータを調節することとを含む方法。
［２］  前記ＵＥの１つ以上の特性を決定することは、バッテリーレベルまたは充電状態のうちの少なくとも１つを決定することを含む［１］記載の方法。
［３］  前記バッテリーレベルまたは充電状態のうちの少なくとも１つを決定することは、前記バッテリーレベルがしきい値を超えていることを決定すること、または、バッテリーが充電されていることを決定することを含み、
前記１つ以上のパラメータを調節することは、衛星ポジショニングシステム（ＳＰＳ）受信機をイネーブルすることを含む［２］記載の方法。
［４］  前記ＵＥの１つ以上の特性を決定することは、ロケーション情報に対する要求の頻度を決定することを含む［１］記載の方法。
［５］  前記ＵＥの１つ以上の特性を決定することは、前記ＵＥが現在、以前に知られていたロケーションにあることを決定することを含む［１］記載の方法。
［６］  前記ＵＥの１つ以上の特性を決定することは、データ使用しきい値を決定することを含む［１］記載の方法。
［７］  前記１つ以上のパラメータを調節することは、前記決定したデータ使用しきい値に基づいて、ワイヤレス広域ネットワーク（ＷＷＡＮ）データサービスを使用して、前記ＵＥがロケーション情報を要求できる回数を調節することを含む［６］記載の方法。
［８］  前記１つ以上のパラメータを調節することは、ロケーション精度の許容可能なレベルを調節することを含む［１］記載の方法。
［９］  前記１つ以上のパラメータを調節することは、前記ＵＥが１つ以上のロケーション決定デバイスからのロケーション情報を要求できる頻度を調節することを含む［１］記載の方法。
［１０］  前記１つ以上のパラメータを調節することは、サービス期間の間に、前記ＵＥができるロケーション情報に対する要求の最大数を調節することを含む［１］記載の方法。
［１１］  ユーザ機器（ＵＥ）によるワイヤレス通信のための装置において、
少なくとも１つのプロセッサと、
前記少なくとも１つのプロセッサに結合されているメモリとを具備し、
前記少なくとも１つのプロセッサは、
前記ＵＥの１つ以上の特性を決定するようにと、
前記ＵＥの決定した１つ以上の特性に基づいて、ロケーション情報報告の１つ以上のパラメータを調節するように構成されている装置。
［１２］  前記少なくとも１つのプロセッサは、バッテリーレベルまたは充電状態のうちの少なくとも１つを決定するようにさらに構成されている［１１］記載の装置。
［１３］  前記少なくとも１つのプロセッサは、前記バッテリーレベルがしきい値を超えていることを決定するように、または、バッテリーが充電されていることを決定するように、
衛星ポジショニングシステム（ＳＰＳ）受信機をイネーブルするようにさらに構成されている［１２］記載の装置。
［１４］  前記少なくとも１つのプロセッサは、ロケーション情報に対する要求の頻度を決定するようにさらに構成されている［１１］記載の装置。
［１５］  前記少なくとも１つのプロセッサは、前記ＵＥが現在、以前に知られていたロケーションにあることを決定するようにさらに構成されている［１１］記載の装置。
［１６］  前記少なくとも１つのプロセッサは、データ使用しきい値を決定するようにさらに構成されている［１１］記載の装置。
［１７］  前記少なくとも１つのプロセッサは、前記決定したデータ使用しきい値に基づいて、ワイヤレス広域ネットワーク（ＷＷＡＮ）データサービスを使用して、前記ＵＥがロケーション情報を要求できる回数を調節するようにさらに構成されている［１６］記載の装置。
［１８］  前記少なくとも１つのプロセッサは、ロケーション精度の許容可能なレベルを調節するようにさらに構成されている［１１］記載の装置。
［１９］  前記少なくとも１つのプロセッサは、前記ＵＥが１つ以上のロケーション決定デバイスからのロケーション情報を要求できる頻度を調節するようにさらに構成されている［１１］記載の装置。
［２０］  前記少なくとも１つのプロセッサは、サービス期間の間に、前記ＵＥができるロケーション情報に対する要求の最大数を調節するようにさらに構成されている［１１］記載の装置。
［２１］  ユーザ機器（ＵＥ）によるワイヤレス通信のための装置において、
前記ＵＥの１つ以上の特性を決定する手段と、
前記ＵＥの決定した１つ以上の特性に基づいて、ロケーション情報報告の１つ以上のパラメータを調節する手段とを具備する装置。
［２２］  前記ＵＥの１つ以上の特性を決定する手段は、バッテリーレベルまたは充電状態のうちの少なくとも１つを決定する手段を備える［２１］記載の装置。
［２３］  前記バッテリーレベルまたは充電状態のうちの少なくとも１つを決定する手段は、前記バッテリーレベルがしきい値を超えていることを決定する手段、または、バッテリーが充電されていることを決定する手段を備え、
前記１つ以上のパラメータを調節する手段は、衛星ポジショニングシステム（ＳＰＳ）受信機をイネーブルする手段を備える［２２］記載の装置。
［２４］  前記ＵＥの１つ以上の特性を決定する手段は、ロケーション情報に対する要求の頻度を決定する手段を備える［２１］記載の装置。
［２５］  前記ＵＥの１つ以上の特性を決定する手段は、前記ＵＥが現在、以前に知られていたロケーションにあることを決定する手段を備える［２１］記載の装置。
［２６］  前記ＵＥの１つ以上の特性を決定する手段は、データ使用しきい値を決定する手段を備える［２１］記載の装置。
［２７］  前記１つ以上のパラメータを調節する手段は、前記決定したデータ使用しきい値に基づいて、ワイヤレス広域ネットワーク（ＷＷＡＮ）データサービスを使用して、前記ＵＥがロケーション情報を要求できる回数を調節する手段を備える［２６］記載の装置。
［２８］  前記１つ以上のパラメータを調節する手段は、ロケーション精度の許容可能なレベルを調節する手段を備える［２１］記載の装置。
［２９］  前記１つ以上のパラメータを調節する手段は、前記ＵＥが１つ以上のロケーション決定デバイスからのロケーション情報を要求できる頻度を調節する手段を備える［２１］記載の装置。
［３０］  ユーザ機器（ＵＥ）によるワイヤレス通信のためのコンピュータ読取可能媒体において、
コードを具備し、
前記コードは、少なくとも１つのプロセッサにより実行されるときに、前記ＵＥに、
前記ＵＥの１つ以上の特性を決定させ、
前記ＵＥの決定した１つ以上の特性に基づいて、ロケーション情報報告の１つ以上のパラメータを調節させるコンピュータ読取可能媒体。